(57)【要約】本開示は、情報下り送信方法、データ送信方法、装置及びシステムを提供し、通信分野に関する。前記情報下り送信方法は、アクセスネットワーク機器が、端末のための経路情報を設定し、アクセスネットワーク機器と端末との間に、ＲＲＣ接続が確立され、経路情報が、上りデータの送信経路を示すためのものであり、送信経路が、モバイル通信リンク、又はＷＬＡＮリンクを含むステップと、アクセスネットワーク機器が、端末に経路情報を下り送信し、端末が、経路情報に基づいて、上りデータの目標送信経路を決定し、目標送信経路に基づいて、アクセスネットワーク機器に上りデータを送信するように構成されるステップと、を含む。本開示の実施例は、端末がアクセスネットワーク機器によって設定される送信経路に基づいて、上りデータを送信し、モバイル通信リンク及びＷＬＡＮリンクを十分に利用してデータ伝送を行うことを達成し、単一のリンクを利用することによる輻輳を回避し、上りデータの伝送効率及びモバイル通信システムの性能を向上させる。【選択図】図２
2019519989.tif 000002
【特許請求の範囲】
【請求項１】
情報下り送信方法であって、
アクセスネットワーク機器が、端末のための経路情報を設定し、前記アクセスネットワーク機器と前記端末との間に、無線リソース制御ＲＲＣ接続が確立され、前記経路情報が、上りデータの送信経路を示すためのものであり、前記送信経路が、モバイル通信リンク、又は無線ローカルエリアネットワークＷＬＡＮリンクを含むステップと、
前記アクセスネットワーク機器が、前記端末に前記経路情報を下り送信し、前記端末が、前記経路情報に基づいて、上りデータの目標送信経路を決定し、前記目標送信経路に基づいて、前記アクセスネットワーク機器に前記上りデータを送信するように構成されるステップと、を含む、
ことを特徴とする方法。
【請求項２】
前記端末のための経路情報を設定するステップは、
前記アクセスネットワーク機器が、システム情報の指定されたシステム情報ブロック（ＳＩＢ）において前記経路情報を設定し、前記指定されたＳＩＢが、前記システム情報における既存のＳＩＢ又は新たに追加されたＳＩＢであるステップを含む、
ことを特徴とする請求項１に記載の方法。
【請求項３】
前記端末に前記経路情報を下り送信するステップは、
前記アクセスネットワーク機器が、各端末に前記システム情報をブロードキャストし、前記端末が、前記システム情報における前記指定されたＳＩＢに含まれる前記経路情報に基づいて、前記目標送信経路を決定し、前記目標送信経路を介して前記アクセスネットワーク機器に前記上りデータを送信するように構成されるステップを含み、
異なる端末にブロードキャストされる前記システム情報に含まれる前記経路情報が同一である、
ことを特徴とする請求項２に記載の方法。
【請求項４】
前記端末のための経路情報を設定するステップは、
前記アクセスネットワーク機器が、ＲＲＣ接続再構成シグナリングに、前記経路情報を設定するステップを含む、
ことを特徴とする請求項１に記載の方法。
【請求項５】
前記端末に前記経路情報を下り送信するステップは、
前記アクセスネットワーク機器が、前記端末に前記ＲＲＣ接続再構成シグナリングを送信するステップであって、前記端末が、前記ＲＲＣ接続再構成シグナリングに含まれる前記経路情報に基づいて、前記目標送信経路を決定し、前記目標送信経路を介して前記アクセスネットワーク機器に前記上りデータを送信するように構成され、
異なる端末に送信される前記ＲＲＣ接続再構成シグナリングに含まれる前記経路情報が同一である又は異なるステップを含む、
ことを特徴とする請求項４に記載の方法。
【請求項６】
前記経路情報のデータタイプがブーリアン型であり、
前記経路情報の値が真（ｔｒｕｅ）である場合、前記目標送信経路は、前記モバイル通信リンクであり、前記経路情報の値が偽（ｆａｌｓｅ）である場合、前記目標送信経路は、前記ＷＬＡＮリンクであり、
又は、
前記経路情報の値がｔｒｕｅである場合、前記目標送信経路は、前記ＷＬＡＮリンクであり、前記経路情報の値がｆａｌｓｅである場合、前記目標送信経路は、前記モバイル通信リンクである、
ことを特徴とする請求項１〜５のいずれか１項に記載の方法。
【請求項７】
データ送信方法であって、
端末が、アクセスネットワーク機器によって下り送信された経路情報を受信し、前記アクセスネットワーク機器と前記端末との間に、無線リソース制御ＲＲＣ接続が確立され、前記経路情報が、上りデータの送信経路を示すためのものであり、前記送信経路が、モバイル通信リンク、又は無線ローカルエリアネットワークＷＬＡＮリンクを含むステップと、
前記端末が、前記経路情報に基づいて、上りデータの目標送信経路を決定するステップと、
前記端末が、前記目標送信経路に基づいて、前記アクセスネットワーク機器に前記上りデータを送信するステップと、を含む、
ことを特徴とする方法。
【請求項８】
前記アクセスネットワーク機器によって下り送信された前記経路情報を受信するステップは、
前記端末が、前記アクセスネットワーク機器によってブロードキャストされたシステム情報を受信し、前記システム情報の指定されたシステム情報ブロックＳＩＢに前記経路情報が含まれ、前記指定されたＳＩＢが、前記システム情報における既存のＳＩＢ又は新たに追加されたＳＩＢであるステップを含む、
ことを特徴とする請求項７に記載の方法。
【請求項９】
前記アクセスネットワーク機器によって下り送信された経路情報を受信するステップは、
前記端末が、前記アクセスネットワーク機器によって送信されたＲＲＣ接続再構成シグナリングを受信し、前記ＲＲＣ接続再構成シグナリングに前記経路情報が含まれ、異なる端末に送信される前記ＲＲＣ接続再構成シグナリングに含まれる前記経路情報が同一である又は異なるステップを含む、
ことを特徴とする請求項７に記載の方法。
【請求項１０】
前記経路情報のデータタイプがブーリアン型であり、
前記経路情報の値がｔｒｕｅである場合、前記端末は、前記目標送信経路が前記モバイル通信リンクであると決定し、前記経路情報の値がｆａｌｓｅである場合、前記端末は、前記目標送信経路が前記ＷＬＡＮリンクであると決定し、
又は、
前記経路情報の値がｔｒｕｅである場合、前記端末は、前記目標送信経路が前記ＷＬＡＮリンクであると決定し、前記経路情報の値がｆａｌｓｅである場合、前記端末は、前記目標送信経路が前記モバイル通信リンクであると決定する、
ことを特徴とする請求項７〜９のいずれか１項に記載の方法。
【請求項１１】
当該方法は、
前記端末が、前記アクセスネットワーク機器によって下り送信された前記経路情報が存在するか否かを検出するステップと、
前記アクセスネットワーク機器によって下り送信された前記経路情報が存在する場合、前記端末は、前記経路情報に基づいて、上りデータの目標送信経路を決定するステップを実行するステップと、
前記アクセスネットワーク機器によって下り送信された前記経路情報が存在しない場合、前記端末は、前記モバイル通信リンクを介して前記上りデータを送信するステップと、をさらに含む、
ことを特徴とする請求項７〜１０のいずれか１項に記載の方法。
【請求項１２】
情報下り送信装置であって、
端末のための経路情報を設定するように構成され、前記アクセスネットワーク機器と前記端末との間に、無線リソース制御ＲＲＣ接続が確立され、前記経路情報が、上りデータの送信経路を示すためのものであり、前記送信経路が、モバイル通信リンク、又は無線ローカルエリアネットワークＷＬＡＮリンクを含む情報設定モジュールと、
前記端末に前記経路情報を下り送信するように構成され、前記端末が、前記経路情報に基づいて、上りデータの目標送信経路を決定し、前記目標送信経路に基づいて、前記アクセスネットワーク機器に前記上りデータを送信するように構成される情報下り送信モジュールと、含む、
ことを特徴とする装置。
【請求項１３】
前記情報設定モジュールは、
システム情報の指定されたシステム情報ブロックＳＩＢにおいて、前記経路情報を設定するように構成され、前記指定されたＳＩＢが、システム情報における既存のＳＩＢ又は新たに追加されたＳＩＢである第１の設定サブモジュールを含む、
ことを特徴とする請求項１２に記載の装置。
【請求項１４】
前記情報下り送信モジュールは、
各端末に前記システム情報をブロードキャストするように構成され、前記端末が、前記システム情報における前記指定されたＳＩＢに含まれる前記経路情報に基づいて、前記目標送信経路を決定し、前記目標送信経路を介して前記アクセスネットワーク機器に前記上りデータを送信するように構成される第１の下り送信サブモジュールを含み、
異なる端末にブロードキャストされる前記システム情報に含まれる前記経路情報が同一である、
ことを特徴とする請求項１３に記載の装置。
【請求項１５】
前記情報設定モジュールは、
ＲＲＣ接続再構成シグナリングに、前記経路情報を設定するように構成される第２の設定サブモジュールを含む、
ことを特徴とする請求項１２に記載の装置。
【請求項１６】
前記情報下り送信モジュールは、
前記端末に前記ＲＲＣ接続再構成シグナリングを送信するように構成され、前記端末が、前記ＲＲＣ接続再構成シグナリングに含まれる前記経路情報に基づいて、前記目標送信経路を決定し、前記目標送信経路を介して前記アクセスネットワーク機器に前記上りデータを送信するように構成される第２の下り送信サブモジュールを含み、
異なる端末に送信される前記ＲＲＣ接続再構成シグナリングに含まれる前記経路情報が同一である又は異なる、
ことを特徴とする請求項１５に記載の装置。
【請求項１７】
前記経路情報のデータタイプがブーリアン型であり、
前記経路情報の値がｔｒｕｅである場合、前記目標送信経路は、前記モバイル通信リンクであり、前記経路情報の値がｆａｌｓｅである場合、前記目標送信経路は、前記ＷＬＡＮリンクであり、
又は、
前記経路情報の値がｔｒｕｅである場合、前記目標送信経路は、前記ＷＬＡＮリンクであり、前記経路情報の値がｆａｌｓｅである場合、前記目標送信経路は、前記モバイル通信リンクである、
ことを特徴とする請求項１２〜１６のいずれか１項に記載の装置。
【請求項１８】
データ送信装置であって、
アクセスネットワーク機器によって下り送信された経路情報を受信するように構成され、前記アクセスネットワーク機器と前記端末との間に、無線リソース制御ＲＲＣ接続が確立され、前記経路情報が、上りデータの送信経路を示すためのものであり、前記送信経路が、モバイル通信リンク、又は無線ローカルエリアネットワークＷＬＡＮリンクを含む情報受信モジュールと、
前記経路情報に基づいて、上りデータの目標送信経路を決定するように構成される経路決定モジュールと、
前記目標送信経路に基づいて、前記アクセスネットワーク機器に前記上りデータを送信するように構成される第１のデータ送信モジュールと、を含む、
ことを特徴とする装置。
【請求項１９】
前記情報受信モジュールは、
前記アクセスネットワーク機器によってブロードキャストされたシステム情報を受信するように構成され、前記システム情報の指定されたシステム情報ブロックＳＩＢに、前記経路情報が含まれ、前記指定されたＳＩＢが、前記システム情報における既存のＳＩＢ又は新たに追加されたＳＩＢである第１の受信サブモジュールを含む、
ことを特徴とする請求項１８に記載の装置。
【請求項２０】
前記情報受信モジュールは、
前記アクセスネットワーク機器によって送信されたＲＲＣ接続再構成シグナリングを受信するように構成され、前記ＲＲＣ接続再構成シグナリングに、前記経路情報が含まれ、異なる端末に送信される前記ＲＲＣ接続再構成シグナリングに含まれる前記経路情報が同一である又は異なる第２の受信サブモジュールを含む、
ことを特徴とする請求項１８に記載の装置。
【請求項２１】
前記経路情報のデータタイプがブーリアン型であり、
前記経路決定モジュールは、前記経路情報の値がｔｒｕｅである場合、前記目標送信経路が前記モバイル通信リンクであると決定し、前記経路情報の値がｆａｌｓｅである場合、前記目標送信経路が前記ＷＬＡＮリンクであると決定するように構成され、
又は、
前記経路決定モジュールは、前記経路情報の値がｔｒｕｅである場合、前記目標送信経路が前記ＷＬＡＮリンクであると決定し、前記経路情報の値がｆａｌｓｅである場合、前記目標送信経路が前記モバイル通信リンクであると決定するように構成される、
ことを特徴とする請求項１８〜２０のいずれか１項に記載の装置。
【請求項２２】
前記装置は、
前記アクセスネットワーク機器によって下り送信された前記経路情報が存在するか否かを検出するように構成される検出モジュールと、
前記アクセスネットワーク機器によって下り送信された前記経路情報が存在する場合、前記経路情報に基づいて、上りデータの目標送信経路を決定するように構成される前記経路決定モジュールと、
前記アクセスネットワーク機器によって下り送信された前記経路情報が存在しない場合、前記モバイル通信リンクを介して前記上りデータを送信するように構成される第２のデータ送信モジュールと、をさらに含む、
ことを特徴とする請求項１８〜２１のいずれか１項に記載の装置。
【請求項２３】
アクセスネットワーク機器であって、
プロセッサと、
プロセッサが実行可能な命令を記憶するように構成されるメモリと、を含み、
前記プロセッサは、
端末のための経路情報を設定し、
前記端末に前記経路情報を下り送信するように構成され、
前記アクセスネットワーク機器と前記端末との間に、無線リソース制御ＲＲＣ接続が確立され、前記経路情報が、上りデータの送信経路を示すためのものであり、前記送信経路が、モバイル通信リンク、又は無線ローカルエリアネットワークＷＬＡＮリンクを含み、
前記端末が、前記経路情報に基づいて、上りデータの目標送信経路を決定し、前記目標送信経路に基づいて、前記アクセスネットワーク機器に前記上りデータを送信するように構成される、
ことを特徴とする機器。
【請求項２４】
端末であって、
プロセッサと、
プロセッサが実行可能な命令を記憶するように構成されるメモリと、を含み、
前記プロセッサは、
アクセスネットワーク機器によって下り送信された経路情報を受信し、
前記経路情報に基づいて、上りデータの目標送信経路を決定し、
前記目標送信経路に基づいて、前記アクセスネットワーク機器に前記上りデータを送信するように構成され、
前記アクセスネットワーク機器と前記端末との間に、無線リソース制御ＲＲＣ接続が確立され、前記経路情報が、上りデータの送信経路を示すためのものであり、前記送信経路が、モバイル通信リンク、又は無線ローカルエリアネットワークＷＬＡＮリンクを含む、
ことを特徴とする端末。
【請求項２５】
モバイル通信システムであって、
アクセスネットワーク機器と、少なくとも一つの端末と、を含み、前記端末と前記アクセスネットワーク機器との間に無線リソース制御ＲＲＣ接続が確立され、
前記アクセスネットワーク機器は、請求項１２〜１７のいずれか１項に記載の装置を含み、前記端末は、請求項１８〜２２のいずれか１項に記載の装置を含み、
又は、
前記アクセスネットワーク機器は、請求項２３に記載のアクセスネットワーク機器を含み、前記端末は、請求項２４に記載の端末を含む、
ことを特徴とするモバイル通信システム。
【発明の詳細な説明】
【技術分野】
【０００１】
本開示は、通信分野に関し、特に情報下り送信方法、データ送信方法、装置及びシステムに関する。
【背景技術】
【０００２】
ＬＷＡ（ＬＴＥ-ＷＬＡＮ Ａｇｇｒｅｇａｔｉｏｎｓ）とは、ＬＴＥ（Ｌｏｎｇ Ｔｅｒｍ Ｅｖｏｌｕｔｉｏｎ）ネットワークと、ＷＬＡＮ（Ｗｉｒｅｌｅｓｓ Ｌｏｃａｌ Ａｒｅａ Ｎｅｔｗｏｒｋｓ）ネットワークとを同時に利用してデータ伝送を行う技術である。
【０００３】
アクセスネットワーク機器がＬＷＡを利用して下りデータ伝送を行う場合、ｅＮＢは、ＬＴＥネットワークを介して一部の下りデータを端末に伝送するとともに、ＵＥのＭＡＣ（Ｍｅｄｉｕｍ Ａｃｃｅｓｓ Ｃｏｎｔｒｏｌ）アドレスに基づいて、ＷＬＡＮネットワークを介して残りの下りデータを端末に伝送し、端末は、受信した二つの部分のデータを集約して、データの下り伝送を実現する。
【発明の概要】
【発明が解決しようとする課題】
【０００４】
本開示は、情報下り送信方法、データ送信方法、装置及びシステムを提供する。前記技術案は、以下のようである。
【課題を解決するための手段】
【０００５】
第１の側面は、情報下り送信方法を提供する。当該情報下り送信方法は、
アクセスネットワーク機器が、端末のための経路情報を設定し、アクセスネットワーク機器と端末との間に、無線リソース制御（Ｒａｄｉｏ Ｒｅｓｏｕｒｃｅ Ｃｏｎｔｒｏｌ、ＲＲＣ）接続が確立され、経路情報が、上りデータの送信経路を示すためのものであり、送信経路が、モバイル通信リンク、又はＷＬＡＮリンクを含むステップと、
アクセスネットワーク機器が、端末に経路情報を下り送信し、端末が、経路情報に基づいて、上りデータの目標送信経路を決定し、目標送信経路に基づいて、アクセスネットワーク機器に上りデータを送信するように構成されるステップと、を含む。
【０００６】
好ましい実施例において、端末のための経路情報を設定するステップは、
アクセスネットワーク機器が、システム情報の指定されたシステム情報ブロック（Ｓｙｓｔｅｍ Ｉｎｆｏｒｍａｔｉｏｎ Ｂｌｏｃｋ、ＳＩＢ）において経路情報を設定し、指定されたＳＩＢが、システム情報における既存のＳＩＢ又は新たに追加された追加ＳＩＢであるステップを含む。
【０００７】
好ましい実施例において、端末に経路情報を下り送信するステップは、
アクセスネットワーク機器が、各端末にシステム情報をブロードキャストし、端末が、システム情報における指定されたＳＩＢに含まれる経路情報に基づいて、目標送信経路を決定し、目標送信経路を介してアクセスネットワーク機器に上りデータを送信するように構成されるステップを含み、
異なる端末にブロードキャストしたシステム情報に含まれる経路情報が同一である。
【０００８】
好ましい実施例において、端末のための経路情報を設定するステップは、
アクセスネットワーク機器が、ＲＲＣ接続再構成シグナリングに、経路情報を設定するステップを含む。
【０００９】
好ましい実施例において、端末に経路情報を下り送信するステップは、
アクセスネットワーク機器が、端末にＲＲＣ接続再構成シグナリングを送信するステップであって、端末が、ＲＲＣ接続再構成シグナリングに含まれる経路情報に基づいて、目標送信経路を決定し、目標送信経路を介してアクセスネットワーク機器に上りデータを送信するように構成され、
異なる端末に送信したＲＲＣ接続再構成シグナリングに含まれる経路情報が同一である又は異なるステップを含む。
【００１０】
好ましい実施例において、経路情報のデータタイプがブーリアン型（ｂｏｏｌｅａｎ）であり、
経路情報の値が真（ｔｒｕｅ）である場合、目標送信経路は、モバイル通信リンクであり、経路情報の値が偽（ｆａｌｓｅ）である場合、目標送信経路は、ＷＬＡＮリンクであり、
又は、
経路情報の値がｔｒｕｅである場合、目標送信経路は、ＷＬＡＮリンクであり、経路情報の値がｆａｌｓｅである場合、目標送信経路は、モバイル通信リンクである。
【００１１】
第２の側面は、データ送信方法を提供する。当該データ送信方法は、
端末が、アクセスネットワーク機器によって下り送信された経路情報を受信し、アクセスネットワーク機器と端末との間に、ＲＲＣ接続が確立され、経路情報が、上りデータの送信経路を示すためのものであり、送信経路が、モバイル通信リンク、又はＷＬＡＮリンクを含むステップと、
端末が、経路情報に基づいて、上りデータの目標送信経路を決定するステップと、
端末が、目標送信経路に基づいて、アクセスネットワーク機器に上りデータを送信するステップと、を含む。
【００１２】
好ましい実施例において、アクセスネットワーク機器によって下り送信された経路情報を受信するステップは、
端末が、アクセスネットワーク機器によってブロードキャストされたシステム情報を受信し、システム情報の指定されたＳＩＢに経路情報が含まれ、指定されたＳＩＢが、システム情報における既存のＳＩＢ又は新たに追加された追加ＳＩＢであるステップを含む。
【００１３】
好ましい実施例において、アクセスネットワーク機器によって下り送信された経路情報を受信するステップは、
端末が、アクセスネットワーク機器によって送信されたＲＲＣ接続再構成シグナリングを受信し、ＲＲＣ接続再構成シグナリングに経路情報が含まれ、異なる端末に送信したＲＲＣ接続再構成シグナリングに含まれる経路情報が同一である又は異なるステップを含む。
【００１４】
好ましい実施例において、経路情報のデータタイプがｂｏｏｌｅａｎであり、
経路情報の値がｔｒｕｅである場合、端末は、目標送信経路がモバイル通信リンクであると決定し、経路情報の値がｆａｌｓｅである場合、端末は、目標送信経路がＷＬＡＮリンクであると決定し、
又は、
経路情報の値がｔｒｕｅである場合、端末は、目標送信経路がＷＬＡＮリンクであると決定し、経路情報の値がｆａｌｓｅである場合、端末は、目標送信経路がモバイル通信リンクであると決定する。
【００１５】
好ましい実施例において、当該方法は、
端末が、アクセスネットワーク機器によって下り送信された経路情報が存在するか否かを検出するステップと、
アクセスネットワーク機器によって下り送信された経路情報が存在する場合、端末は、経路情報に基づいて、上りデータの目標送信経路を決定するステップを実行するステップと、
アクセスネットワーク機器によって下り送信された経路情報が存在しない場合、端末は、モバイル通信リンクを介して上りデータを送信するステップと、をさらに含む。
【００１６】
第３の側面は、情報下り送信装置を提供する。当該情報下り送信装置は、
端末のための経路情報を設定するように構成され、アクセスネットワーク機器と端末との間に、ＲＲＣ接続が確立され、経路情報が、上りデータの送信経路を示すためのものであり、送信経路が、モバイル通信リンク、又はＷＬＡＮリンクを含む情報設定モジュールと、
端末に経路情報を下り送信するように構成され、端末が、経路情報に基づいて、上りデータの目標送信経路を決定し、目標送信経路に基づいて、アクセスネットワーク機器に上りデータを送信するように構成される情報下り送信モジュールと、含む。
【００１７】
好ましい実施例において、情報設定モジュールは、
システム情報の指定されたＳＩＢにおいて、経路情報を設定するように構成され、指定されたＳＩＢが、システム情報における既存のＳＩＢ又は新たに追加された追加ＳＩＢである第１の設定サブモジュールを含む。
【００１８】
好ましい実施例において、情報下り送信モジュールは、
各端末にシステム情報をブロードキャストするように構成され、端末が、システム情報における指定されたＳＩＢに含まれる経路情報に基づいて、目標送信経路を決定し、目標送信経路を介してアクセスネットワーク機器に上りデータを送信するように構成される第１の下り送信サブモジュールを含み、
異なる端末にブロードキャストしたシステム情報に含まれる経路情報が同一である。
【００１９】
好ましい実施例において、情報設定モジュールは、
ＲＲＣ接続再構成シグナリングに、経路情報を設定するように構成される第２の設定サブモジュールを含む。
【００２０】
好ましい実施例において、情報下り送信モジュールは、
端末にＲＲＣ接続再構成シグナリングを送信するように構成され、端末が、ＲＲＣ接続再構成シグナリングに含まれる経路情報に基づいて、目標送信経路を決定し、目標送信経路を介してアクセスネットワーク機器に上りデータを送信するように構成される第２の下り送信サブモジュールを含み、
異なる端末に送信されるＲＲＣ接続再構成シグナリングに含まれる経路情報が同一である又は異なる。
【００２１】
好ましい実施例において、経路情報のデータタイプがｂｏｏｌｅａｎであり、
経路情報の値がｔｒｕｅである場合、目標送信経路は、モバイル通信リンクであり、経路情報の値がｆａｌｓｅである場合、目標送信経路は、ＷＬＡＮリンクであり、
又は、
経路情報の値がｔｒｕｅである場合、目標送信経路は、ＷＬＡＮリンクであり、経路情報の値がｆａｌｓｅである場合、目標送信経路は、モバイル通信リンクである。
【００２２】
第４の側面は、データ送信装置を提供する。当該データ送信装置は、
アクセスネットワーク機器によって下り送信された経路情報を受信するように構成され、アクセスネットワーク機器と端末との間に、ＲＲＣ接続が確立され、経路情報が、上りデータの送信経路を示すためのものであり、送信経路が、モバイル通信リンク、又はＷＬＡＮリンクを含む情報受信モジュールと、
経路情報に基づいて、上りデータの目標送信経路を決定するように構成される経路決定モジュールと、
目標送信経路に基づいて、アクセスネットワーク機器に上りデータを送信するように構成される第１のデータ送信モジュールと、を含む。
【００２３】
好ましい実施例において、情報受信モジュールは、
アクセスネットワーク機器によってブロードキャストされたシステム情報を受信するように構成され、システム情報の指定されたＳＩＢに、経路情報が含まれ、指定されたＳＩＢが、システム情報における既存のＳＩＢ又は新たに追加された追加ＳＩＢである第１の受信サブモジュールを含む。
【００２４】
好ましい実施例において、情報受信モジュールは、
アクセスネットワーク機器によって送信されたＲＲＣ接続再構成シグナリングを受信するように構成され、ＲＲＣ接続再構成シグナリングに、経路情報が含まれ、異なる端末に送信されるＲＲＣ接続再構成シグナリングに含まれる経路情報が同一である又は異なる第２の受信サブモジュールを含む。
【００２５】
好ましい実施例において、経路情報のデータタイプがｂｏｏｌｅａｎであり、
経路決定モジュールは、経路情報の値がｔｒｕｅである場合、目標送信経路がモバイル通信リンクであると決定し、経路情報の値がｆａｌｓｅである場合、目標送信経路がＷＬＡＮリンクであると決定するように構成され、
又は、
経路決定モジュールは、経路情報の値がｔｒｕｅである場合、目標送信経路がＷＬＡＮリンクであると決定し、経路情報の値がｆａｌｓｅである場合、目標送信経路がモバイル通信リンクであると決定するように構成される。
【００２６】
好ましい実施例において、当該装置は、
アクセスネットワーク機器によって下り送信された経路情報が存在するか否かを検出するように構成される検出モジュールと、
アクセスネットワーク機器によって下り送信された経路情報が存在する場合、経路情報に基づいて、上りデータの目標送信経路を決定するように構成される経路決定モジュールと、
アクセスネットワーク機器によって下り送信された経路情報が存在しない場合、モバイル通信リンクを介して上りデータを送信するように構成される第２のデータ送信モジュールと、をさらに含む。
【００２７】
第５の側面は、アクセスネットワーク機器を提供する。当該アクセスネットワーク機器は、
プロセッサと、
プロセッサが実行可能な命令を記憶するように構成されるメモリと、を含み、
プロセッサは、
端末のための経路情報を設定し、
端末に経路情報を下り送信するように構成され、
アクセスネットワーク機器と端末との間に、ＲＲＣ接続が確立され、経路情報が、上りデータの送信経路を示すためのものであり、送信経路が、モバイル通信リンク、又はＷＬＡＮリンクを含み、
端末が、経路情報に基づいて、上りデータの目標送信経路を決定し、目標送信経路に基づいて、アクセスネットワーク機器に上りデータを送信するように構成される。
【００２８】
第６の側面は、端末を提供する。当該端末は、
プロセッサと、
プロセッサが実行可能な命令を記憶するように構成されるメモリと、を含み、
プロセッサは、
アクセスネットワーク機器によって下り送信された経路情報を受信し、
経路情報に基づいて、上りデータの目標送信経路を決定し、
目標送信経路に基づいて、アクセスネットワーク機器に上りデータを送信するように構成され、
アクセスネットワーク機器と端末との間に、ＲＲＣ接続が確立され、経路情報が、上りデータの送信経路を示すためのものであり、送信経路が、モバイル通信リンク、又はＷＬＡＮリンクを含む。
【００２９】
第７の側面は、モバイル通信システムを提供する。当該システムは、アクセスネットワーク機器と、少なくとも一つの端末と、を含み、端末とアクセスネットワーク機器との間にＲＲＣ接続が確立され、
アクセスネットワーク機器は、第３の側面に記載の情報下り送信装置を含み、端末は、第４の側面に記載のデータ送信装置を含み、
又は、
アクセスネットワーク機器は、第５の側面に記載のアクセスネットワーク機器を含み、端末は、第６の側面に記載の端末を含む。
【発明の効果】
【００３０】
本開示の実施例が提供する技術案は、以下の有益効果を含む。
アクセスネットワーク機器が、ＲＲＣ接続が確立される端末のための経路情報を設定し、端末に当該経路情報を下り送信することにより、経路情報を受信した端末が、当該経路情報が示す送信経路に基づいて、上りデータ送信を行うことができる。関連技術において、端末がモバイル通信リンクのみを介して上りデータを送信することにより、モバイル通信リンクが輻輳になり、上りデータの伝送効率及びモバイル通信システムの性能に影響を及ぼす問題を解決し、端末がアクセスネットワーク機器によって設定される送信経路に基づいて、上りデータを送信し、モバイル通信リンク及びＷＬＡＮリンクを十分に利用してデータ伝送を行うことを達成し、単一のリンクを利用することによる輻輳を回避し、上りデータの伝送効率及びモバイル通信システムの性能を向上させる。
【００３１】
なお、以上の一般的な説明及び後述の詳細な説明は、単なる例示的なものであり、本開示を制限するものではない。
【００３２】
ここの図面は、本明細書に組み込まれて本明細書の一部を構成し、本開示に適する実施例を示しており、明細書と共に、本開示の原理を説明するために用いられる。
【図面の簡単な説明】
【００３３】
【図１】図１は例示的な一実施例が提供するモバイル通信システムの構造概略図を示す。
【図２】図２は例示的な一実施例が提供するデータ伝送方法のフローチャートを示す。
【図３Ａ】図３Ａは他の例示的な一実施例が提供するデータ伝送方法のフローチャートを示す。
【図３Ｂ】図３Ｂは他の例示的な一実施例が提供するデータ伝送方法のフローチャートを示す。
【図４Ａ】図４Ａはさらに他の例示的な一実施例が提供するデータ伝送方法のフローチャートを示す。
【図４Ｂ】図４Ｂはさらに他の例示的な一実施例が提供するデータ伝送方法のフローチャートを示す。
【図５】図５は例示的な一実施例が提供する情報下り送信装置の構造概略図を示す。
【図６】図６は例示的な一実施例が提供するデータ送信装置の構造概略図を示す。
【図７】図７は例示的な一実施例が提供するアクセスネットワーク機器１１０の構造概略図を示す。
【図８】図８は例示的な一実施例が提供する端末１４０の構造概略図を示す。
【発明を実施するための形態】
【００３４】
ここで例示的な実施例を詳細に説明し、その例が図面に示される。以下の説明が図面に関わる場合、他の示しがない限り、異なる図面における同一の数字が、同一又は類似の要素を示す。以下の例示的な実施例に記載される実施形態は、本出願と一致する全ての実施形態を表すものではない。むしろそれらは、単に特許請求の範囲に詳述されている、本開示の一部の側面と一致する装置及び方法の例である。
【００３５】
本文で言及される「ユニット」は、メモリに記憶される、いくつかの機能を実現できるプログラム又は命令であり、本文で言及される「モジュール」は、ロジックによって区画した機能的な構成である。上記「モジュール」は、ハードウェアのみによって実現されてもよいし、或いは、ソフトウェアとハードウェアの組み合わせによって実現されてもよい。
【００３６】
本文で言及される「複数」は、二つ以上を意味する。「及び/或は」は、関連対象の関連関係を説明し、三つの状況が存在する可能性があることを意味する。例えば、Ａ及び/又はＢは、Ａのみが存在する場合、Ａ及びＢが同時に存在する場合、Ｂのみが存在する場合、これら三つの場合を意味することができる。記号である「/」は、一般的に、前後の関連対象が、「又は」の関係にあることを意味する。
【００３７】
理解の便宜上、以下に本開示の実施例に係る用語を解釈する。
【００３８】
アクセスネットワーク機器とは、移動通信システムにおいて、移動通信ネットワークにアクセス機能を提供するためのネットワーク構成要素である。
【００３９】
異なる移動通信システムにおいて、アクセスネットワーク機器は同一又は類似する機能を有するが、異なる名称又は具体的な実現形態を有してもよい。好ましくは、アクセスネットワーク機器は汎欧州デジタル移動電話方式（Ｇｌｏｂａｌ  Ｓｙｓｔｅｍ  ｆｏｒ  Ｍｏｂｉｌｅ  ｃｏｍｍｕｎｉｃａｔｉｏｎ、ＧＳＭ（登録商標））又は符号分割多元接続（Ｃｏｄｅ  Ｄｉｖｉｓｉｏｎ  Ｍｕｌｔｉｐｌｅ  Ａｃｃｅｓｓ、ＣＤＭＡ）における基地局（ＢＴＳ、Ｂａｓｅ  Ｔｒａｎｓｃｅｉｖｅｒ  Ｓｔａｔｉｏｎ）である。好ましくは、アクセスネットワーク機器は、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）における基地局（ＮｏｄｅＢ）である。好ましくは、アクセスネットワーク機器は、ロングタームエボリューション（Ｌｏｎｇ  Ｔｅｒｍ  Ｅｖｏｌｕｔｉｏｎ、ＬＴＥ）におけるＬＴＥ無線基地局（ｅｖｏｌｕｔｉｏｎａｌ  Ｎｏｄｅ  Ｂ、ｅＮＢ又はｅ−ＮｏｄｅＢ）である。実際のネットワークにおいて、アクセスネットワーク機器の具体的な実現形態はマクロ基地局、マイクロ基地局、ピコ基地局、リピーターなどであってもよい。
【００４０】
端末とは、移動通信システムにおいてユーザが使用する電子機器である。
【００４１】
異なる移動通信システムにおいて、端末は同一又は類似する機能を有するが、異なる名称又は具体的な実現形態を有してもよい。好ましくは、端末は加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、モバイルステーション（Ｍｏｂｉｌｅ  Ｓｔａｔｉｏｎ）、モバイル（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、又はユーザ機器（Ｕｓｅｒ  Ｅｑｕｉｐｍｅｎｔ、ＵＥ）であってもよい。実際のネットワークにおいて、端末の具体的な実現形態は携帯電話、タブレットパソコン、スマート家電、インテリジェント計器、モノのインターネット機器、車のインターネット装置などであってもよい。本開示の実施例は、端末の具体的な数と具体的な取付け位置を限定するものではない。
【００４２】
無線ローカルエリアネットワークターミネーション（ＷＬＡＮ  Ｔｅｒｍｉｎａｔｉｏｎ、ＷＴ）とは、ＬＷＡシステムにおいて定義される論理ネットワーク構成要素であって、ＷＬＡＮ無線アクセスポイント（Ａｃｃｅｓｓ  Ｐｏｉｎｔ、ＡＰ）に対する管理機能を有する。
【００４３】
ＬＷＡシステムにおいて、ＷＴはｅＮＢと一対一に接続され、通常は一体的に固設されている。１つのＷＴは複数のＷＬＡＮ  ＡＰに同時に接続され、それに接続される各ＷＬＡＮ  ＡＰを監視し、管理する役割を果たしている。ＬＷＡシステムにおいて、アクセスネットワーク機器は、ＷＬＡＮリンクを介して端末に下りリンクデータパケットを伝送するか、又は、ＷＬＡＮリンクを介して端末から伝送される上りリンクデータパケットを受信するときに、当該下りリンクデータパケットと上りリンクデータパケットはいずれも、アクセスネットワーク機器に接続されるＷＴを通過する。
【００４４】
ＡＰとは、ＷＬＡＮにおいて、端末に無線ローカルエリアネットワークアクセス能力を提供するためのノードである。
【００４５】
説明の便宜上、本開示の各実施例は、アクセスネットワーク機器がｅＮＢであり、アクセスネットワーク機器と端末との間に、ＬＴＥリンク及びＷＬＡＮリンクが含まれることを例として、例示的な説明をするが、本開示を限定するものではない。
【００４６】
図１は、例示的な一実施例が提供するモバイル通信システムの構造概略図を示す。当該モバイル通信システムは、アクセスネットワーク機器１１０、ＷＴ１２０、ＷＬＡＮ  ＡＰ１３０及び端末１４０を含む。
【００４７】
好ましくは、アクセスネットワーク機器１１０は、ＬＴＥにおけるｅＮＢである。当該アクセスネットワーク機器１１０は、ＬＴＥリンクとＷＬＡＮリンクを介して下りリンクデータを送信する機能を有し、当該アクセスネットワーク機器１１０は、さらに、ＬＴＥリンクとＷＬＡＮリンクを介して上りリンクデータを受信する機能を有する。ＬＴＥリンクを介して伝送されるのが第１の下りリンクデータと第１の上りリンクデータであり、ＷＬＡＮリンクを介して伝送されるのが第２の下りリンクデータと第２の上りリンクデータであると仮定する場合、アクセスネットワーク機器１１０は、コアネットワークからのデータを、第１の下りリンクデータと第２の下りリンクデータとしてカプセリングし、ＬＴＥリンクを介して第１の下りリンクデータを端末に送信し、ＷＬＡＮリンクを介して第２の下りリンクデータを端末に送信することができる。アクセスネットワーク機器１１０は、さらに、ＬＴＥリンクを介して第１の上りリンクデータを受信し、ＷＬＡＮリンクを介して第２の上りリンクデータを受信し、受信した第１の上りリンクデータと第２の上りリンクデータを集約し、集約した後の上りリンクデータをコアネットワークに送信することができる。
【００４８】
アクセスネットワーク機器１１０は、ＷＴ１２０と一対一に接続され、通常の場合、アクセスネットワーク機器１１０は、ＷＴ１２０と一体的に固設することができ、例えば、同一マザーボードに形成されるか、又は、アクセスネットワーク機器１１０がＷＴ１２０と光ファイバーを介して接続される。図１に示すように、アクセスネットワーク機器１１０は、ＷＴ１２０と対応して接続される。
【００４９】
ＷＴ１２０は、第２の下りリンクデータを送信する機能と、第２の上りリンクデータを受信する機能と、を有する。ＷＴ１２０は、複数のＷＬＡＮ  ＡＰ１３０に同時に接続され、各ＷＬＡＮ  ＡＰ１３０が送信する第２の上りリンクデータを受信するか又は接続されたＷＬＡＮ  ＡＰ１３０に第２の下りリンクデータを伝送することができる。本開示の実施例は、ＷＴ１２０に接続されるＷＬＡＮ  ＡＰ１３０の数を限定するものではない。
【００５０】
ＷＬＡＮ  ＡＰ１３０は、第２の下りリンクデータを送信する機能と、第２の上りリンクデータを受信する機能と、を有する。実際のネットワークにおいて、ＷＬＡＮ  ＡＰ１３０は無線ルータ、無線ゲートウェイのような電子機器であってもよい。ＷＬＡＮ  ＡＰ１３０は、複数のＷＴ１２０と同時に接続することができる。
【００５１】
端末１４０は、第１の上りリンクデータと第２の上りリンクデータを送信する機能と、第１の下りリンクデータと第２の下りリンクデータを受信する機能を有する。また、端末１４０は、さらに、ＬＷＡ機能を有し、すなわち、受信した下りリンクデータに第１の下りリンクデータと第２の下りリンクデータとが含まれる場合、端末１４０は、第１の下りリンクデータと第２の下りリンクデータとを集約することができる。端末１４０は、上りリンクデータを第１の上りリンクデータと第２の上りリンクデータに区分し、ＬＴＥリンクを介してアクセスネットワーク機器１１０に第１の上りリンクデータを送信し、ＷＬＡＮリンクを介してアクセスネットワーク機器１１０に第２の上りリンクデータを送信する機能をさらに有する。本開示の実施例は、端末１４０の具体的な数と具体的な位置を限定するものではない。
【００５２】
図２は例示的な一実施例が提供するデータ伝送方法のフローチャートを示す。本実施例は、当該データ伝送方法を、図１に示されるモバイル通信システムに適用することを例として説明し、当該方法は以下のステップを含む。
【００５３】
ステップ２０１：アクセスネットワーク機器が、端末のための経路情報を設定し、アクセスネットワーク機器と端末との間に、ＲＲＣ接続が確立され、経路情報が、上りデータの送信経路を示すためのものであり、送信経路が、ＬＴＥリンク、又はＷＬＡＮリンクを含む。
【００５４】
アクセスネットワーク機器がコアネットワークからのデータを受信して、当該データを端末に下り送信する場合、現在のリンク状況及びあらかじめ設定された送信ポリシーに基づいて、どんなデータがＬＴＥリンクを介して伝送され、どんなデータがＷＬＡＮリンクを介して伝送されるかを決定することができる。本実施例において、端末がＬＴＥリンク及びＷＬＡＮリンクを十分に利用することができるように、アクセスネットワーク機器は、ＲＲＣ接続が確立される端末のそれぞれの経路情報を設定して、端末がどのタイプのリンクを介して上りデータ伝送を行うかを指示する。
【００５５】
ステップ２０２：アクセスネットワーク機器が、端末に経路情報を下り送信する。
【００５６】
端末は、アクセスネットワーク機器によってカバーされるセルに入った後、直ちに当該アクセスネットワーク機器とＲＲＣ接続を確立し、アクセスネットワーク機器によってブロードキャストされたシステム情報、又は送信（ユニキャスト）されるＲＲＣシグナリングを受信する。
【００５７】
好ましい実施例において、アクセスネットワーク機器は、生成される経路情報をシステム情報に追加し、ブロードキャストの方式によりＲＲＣ接続が確立される各端末にシステム情報を送信することができる。
【００５８】
好ましい実施例において、アクセスネットワーク機器は、さらに、生成される経路情報をＲＲＣシグナリングに追加し、端末との間のＲＲＣ接続により送信することができる。
【００５９】
ステップ２０３：端末が、アクセスネットワーク機器によって下り送信された経路情報を受信する。
【００６０】
好ましい実施例において、端末は、アクセスネットワーク機器によってブロードキャストされたシステム情報を受信し、システム情報から当該経路情報を取得する。
【００６１】
好ましい実施例において、端末は、アクセスネットワーク機器が送信したＲＲＣシグナリングを受信し、当該ＲＲＣシグナリングから当該経路情報を取得する。
【００６２】
ステップ２０４：端末が、経路情報に基づいて、上りデータの目標送信経路を決定する。
【００６３】
端末は、取得される経路情報に基づいて、上りデータを送信する場合に採用される目標送信経路を決定する。
【００６４】
ステップ２０５：端末が、目標送信経路に基づいて、アクセスネットワーク機器に上りデータを送信する。
【００６５】
なお、端末がアクセスネットワーク機器に送信した上りデータは、ＬＷＡアグリゲーションにより伝送される上りデータであり、すなわち、アクセスネットワーク機器が端末によってアップロードされるＬＴＥ上りデータ及びＷＬＡＮ上りデータを受信した後、ＬＴＥ上りデータと、ＷＬＡＮ上りデータとを集約する必要があり、集約された後のデータをコアネットワークに送信する。
【００６６】
関連技術において、端末がＬＴＥリンクのみを介してアクセスネットワーク機器に上りデータを送信することとの相違点は、アクセスネットワーク機器によって設定される経路情報に基づいて、端末は、ＬＴＥリンク及びＷＬＡＮネットワークを介して上りデータ伝送を行うことができ、すなわち、上りデータを分割送信して、ＬＴＥリンクのみを介して上りデータを送信することによるＬＴＥリンクの輻輳を回避する。同時に、ＷＬＡＮリンクを利用して一部のデータを伝送することにより、データの伝送効率を向上させる。
【００６７】
以上により、本実施例が提供するデータ伝送方法は、アクセスネットワーク機器が、ＲＲＣ接続が確立される端末のための経路情報を設定し、端末に当該経路情報を下り送信することにより、経路情報を受信した端末が、当該経路情報が示す送信経路に基づいて、上りデータ送信を行うことができる。関連技術において、端末がモバイル通信リンクのみを介して上りデータを送信することにより、モバイル通信リンクが輻輳になり、上りデータの伝送効率及びモバイル通信システムの性能に影響を及ぼす問題を解決し、端末がアクセスネットワーク機器によって設定される送信経路に基づいて、上りデータを送信し、モバイル通信リンク及びＷＬＡＮリンクを十分に利用してデータ伝送を行うことを達成し、単一のリンクを利用することによる輻輳を回避し、上りデータの伝送効率及びモバイル通信システムの性能を向上させる。
【００６８】
なお、上記ステップ２０１及びステップ２０２は、単独でアクセスネットワーク機器側の情報下り送信方法を実現することができ、上記ステップ２０３〜ステップ２０５は、単独で端末側のデータ送信方法を実現することができ、本実施例は、ここで詳しく説明しない。
【００６９】
図１に示すように、モバイル通信システムにおけるアクセスネットワーク機器１１０は、ブロードキャストの形式により、セル内の各端末１４０にシステム情報を送信し、当該システム情報により、端末１４０は、所属しているセルのネットワーク特徴などの情報を直ちに得ることができる。
【００７０】
したがって、可能な実施形態において、アクセスネットワーク機器は、セル内の各端末に同一経路情報を統一して設定し、ブロードキャストの方式により、当該システム情報を各端末に送信することができる。以下、例示的な一実施例で説明する。
【００７１】
図３Ａは、他の例示的な一実施例が提供するデータ伝送方法の方法フローチャートを示す。本実施例は、当該データ伝送方法を、図１に示されるモバイル通信システムに適用することを例として説明し、当該方法は以下のステップを含む。
【００７２】
ステップ３０１：アクセスネットワーク機器が、システム情報の指定されたＳＩＢにおいて、経路情報を設定し、指定されたＳＩＢが、システム情報における既存のＳＩＢ又は新たに追加された追加ＳＩＢである。
【００７３】
アクセスネットワーク機器によってブロードキャストされたシステム情報には、一つのＭＩＢ（Ｍａｓｔｅｒ Ｉｎｆｏｒｍａｔｉｏｎ Ｂｌｏｃｋ、マスター情報ブロック）及び複数のＳＩＢが含まれる。ＭＩＢには、限られた数の最も重要かつ最も通常な伝送パラメータが含まれ、ＰＢＣＨ（Ｐｈｙｓｉｃａｌ Ｂｒｏａｄｃａｓｔ Ｃｈａｎｎｅｌ、物理ブロードキャストチャンネル）を介して伝送され、ＳＩＢは、ＳＩ（Ｓｙｓｔｅｍ Ｉｎｆｏｒｍａｔｉｏｎ、システム情報）を載せて、ＰＤＳＣＨ（Ｐｈｙｓｉｃａｌ Ｄｏｗｎｌｉｎｋ Ｓｈａｒｅｄ Ｃｈａｎｎｅｌ、物理下りシェアドチャンネル）を介して伝送するためのものであり、ＳＩＢとＳＩとの間のマッピング関係は、自由に設定してもよい。本実施例において、システム情報におけるＳＩＢには、端末のために設定される経路情報が含まれる。
【００７４】
アクセスネットワーク機器は、基準信号を送信することにより、ＬＴＥリンク及びＷＬＡＮリンクのリンク状況と、データ伝送品質とをリアルタイムに取得して、端末がどのタイプの経路を介して上りデータを送信するかの指示を決定することができる。例えば、ＬＴＥリンクのリンク状況が悪く（又は、データ伝送品質が悪い）、ＷＬＡＮリンクのリンク状況が良い（又は、データ伝送品質が良い）場合、アクセスネットワーク機器は、端末がＷＬＡＮリンクを介して上りデータを送信する指示を決定する。なお、他の可能な実施形態において、アクセスネットワーク機器は、さらに、あらかじめ設定される送信ポリシー（即時性に対する要求が高いデータは、ＬＴＥリンクで伝送され、即時性に対する要求が低いデータは、ＷＬＡＮリンクで伝送される）に基づいて、端末の上りデータの送信経路を決定することができる。本実施例は、これについて限定しない。
【００７５】
アクセスネットワーク機器は、決定される送信経路に基づいて、対応する経路情報を生成し、当該経路情報をシステム情報における指定されたＳＩＢに追加する。当該指定されたＳＩＢは、システム情報における既存ＳＩＢ（例えば、ＳＩＢ１）であってもよいし、システム情報における追加ＳＩＢ（例えば、ＳＩＢ１９、ＳＩＢ２０など）であってもよい。
【００７６】
可能な一実施形態において、当該経路情報のデータタイプがｂｏｏｌｅａｎであり、経路情報の値がｔｒｕｅである場合、上りデータの送信経路がＬＴＥリンクであり、経路情報の値がｆａｌｓｅである場合、上りデータの送信経路がＷＬＡＮリンクであり、又は、経路情報の値がｔｒｕｅである場合、目標送信経路がＷＬＡＮリンクであり、経路情報の値がｆａｌｓｅである場合、目標送信経路がＬＴＥリンクである。
【００７７】
例えば、アクセスネットワーク機器は、上りデータの送信経路を示すために、ＳＩＢ１に識別ビット（Ｉｎｄｉｃａｔｉｏｎ）を追加することができる。当該識別ビットの値がｔｒｕｅである場合、上りデータの送信経路がＬＴＥリンクであると示し、当該識別ビットの値がｆａｌｓｅである場合、上りデータの送信経路がＷＬＡＮリンクであると示す。
【００７８】
なお、本実施例は、単に上記可能な実施形態を例として例示的な説明をするので、経路情報を設定する具体的な方法について限定するものではない。
【００７９】
ステップ３０２：アクセスネットワーク機器が、各端末に当該システム情報をブロードキャストし、異なる端末にブロードキャストされるシステム情報に含まれる経路情報が同一である。
【００８０】
経路情報の設定が完成した後、アクセスネットワーク機器は、直ちにブロードキャストの方式により、ＲＲＣ接続が確立される各端末に当該システム情報を送信し、異なる端末にブロードキャストされるシステム情報に含まれる経路情報が同一であり、すなわち、アクセスネットワーク機器によってカバーされるセルにおいて、各端末が受信した経路情報は同一である。
【００８１】
ステップ３０３：端末が、アクセスネットワーク機器によってブロードキャストされたシステム情報を受信する。
【００８２】
それに応じて、端末は、当該システム情報を受信し、当該システム情報に含まれる経路情報を取得する。
【００８３】
可能な一実施形態において、端末は、指定されたＳＩＢが当該システム情報に含まれるか否かを検出し、指定されたＳＩＢが当該システム情報に含まれる場合、さらに、当該ＳＩＢに含まれる経路情報を取得する。
【００８４】
ステップ３０４：端末が、当該システム情報に含まれる経路情報に基づいて、上りデータの目標送信経路を決定する。
【００８５】
端末は、取得される経路情報に基づいて、さらに、上りデータの目標送信経路を決定する。
【００８６】
可能な一実施形態において、システム情報に含まれる経路情報が採用するデータタイプがｂｏｏｌｅａｎであり、経路情報の値がｔｒｕｅである場合、端末は、目標送信経路がＬＴＥリンクであると決定し、経路情報の値がｆａｌｓｅである場合、端末は、目標送信経路がＷＬＡＮリンクであると決定し、又は、
経路情報の値がｔｒｕｅである場合、端末は、目標送信経路がＷＬＡＮリンクであると決定し、経路情報の値がｆａｌｓｅである場合、端末は、目標送信経路がＬＴＥリンクであると決定する。
【００８７】
他の可能な実施形態において、他のデータタイプでシステム情報における経路情報が記憶される場合、端末は、対応の解読方法で、それが示す目標送信経路を決定し、本実施例は、これについて限定しない。
【００８８】
ステップ３０５：端末が、目標送信経路に基づいて、アクセスネットワーク機器に上りデータを送信する。
【００８９】
端末が、アクセスネットワーク機器に上りデータを送信する必要がある場合、上りデータに対してカプセリング処理を行った後、対応する送信経路を介して送信して、上りデータの分割伝送を実現する。
【００９０】
例えば、経路情報が、端末がＬＴＥリンクを介して即時性に対する要求が高い上りデータを送信し、ＷＬＡＮリンクを介して即時性に対する要求が低い上りデータを送信すると示す場合、端末は、即時性の要求が高い上りデータをＬＴＥデータパケットとしてカプセリングし、ＬＴＥリンクを介してアクセスネットワーク機器に当該ＬＴＥデータパケットを送信し、それと同時に、端末は、即時性の要求が低い上りデータをＷＬＡＮデータパケットとしてカプセリングし、ＷＬＡＮリンクを介してアクセスネットワーク機器に当該ＷＬＡＮデータパケットを送信する。
【００９１】
以上により、本実施例が提供するデータ伝送方法は、アクセスネットワーク機器が、ＲＲＣ接続が確立される端末のための経路情報を設定し、端末に当該経路情報を下り送信することにより、経路情報を受信した端末が、当該経路情報が示す送信経路に基づいて、上りデータ送信を行うことができる。関連技術において、端末がモバイル通信リンクのみを介して上りデータを送信することにより、モバイル通信リンクが輻輳になり、上りデータの伝送効率及びモバイル通信システムの性能に影響を及ぼす問題を解決し、端末がアクセスネットワーク機器によって設定される送信経路に基づいて、上りデータを送信し、モバイル通信リンク及びＷＬＡＮリンクを十分に利用してデータ伝送を行うことを達成し、単一のリンクを利用することによる輻輳を回避し、上りデータの伝送効率及びモバイル通信システムの性能を向上させる。
【００９２】
本実施例において、アクセスネットワーク機器は、システム情報に経路情報を追加し、当該システム情報を各端末にブロードキャストして、セル内のすべての端末の画一的な設定を実現し、設定の効率が高く、モバイル通信システム全体のアップグレードコストを低減する。
【００９３】
他の可能な実施形態において、受信したシステム情報に、経路情報が設定されていない場合、端末は、デフォルト経路（例えば、ＬＴＥリンク）に基づいて、上りデータを送信し、受信したシステム情報に、経路情報が設定される場合、端末は、当該経路情報が示す送信経路に基づいて、上りデータ伝送を行う。好ましい実施例において、図３Ｂに示すように、当該方法は、以下のようなステップをさらに含んでもよい。
【００９４】
ステップ３０６：端末が、アクセスネットワーク機器によって下り送信された経路情報が存在するか否かを検出する。
【００９５】
端末は、アクセスネットワーク機器によってブロードキャストされたシステム情報に、指定されたＳＩＢが含まれるか否かを検出し、システム情報に指定されたＳＩＢが含まれていない場合、下記ステップ３０７を実行し、システム情報に指定されたＳＩＢが含まれる場合、さらに、当該指定されたＳＩＢに指定の識別ビット（経路情報を示すためのものである）が含まれるか否かを検出し、指定されたＳＩＢに指定の識別ビットが含まれる場合、上記ステップ３０４を実行し、指定されたＳＩＢに指定の識別ビットが含まれていない場合、下記ステップ３０７を実行する。
【００９６】
ステップ３０７：アクセスネットワーク機器によって下り送信された経路情報が存在しない場合、端末が、ＬＴＥリンクを介して上りデータを送信する。
【００９７】
システム情報に経路情報が含まれていないことを検出する場合、端末は、ＬＴＥリンク（デフォルト経路）を介して上りデータを送信する。
【００９８】
なお、上記ステップ３０１及びステップ３０２は、単独でアクセスネットワーク機器側の情報下り送信方法を実現することができ、上記ステップ３０３〜ステップ３０７は、単独で端末側のデータ送信方法を実現することができ、本実施例は、ここで詳しく説明しない。
【００９９】
他の可能な実施形態において、異なる端末に対して異なる送信経路を設定するために、アクセスネットワーク機器は、端末にそれぞれ異なる経路情報を設定し、ＲＲＣシグナリングをユニキャストすることにより対応する端末に送信する。以下、例示的な一実施例で説明する。
【０１００】
図４Ａは、さらに他の例示的な一実施例が提供するデータ伝送方法の方法フローチャートを示す。本実施例は、当該データ伝送方法を、図１に示されるモバイル通信システムに適用することを例として説明し、当該方法は以下のステップを含む。
【０１０１】
ステップ４０１：アクセスネットワーク機器が、ＲＲＣ接続再構成シグナリングに、経路情報を設定する。
【０１０２】
ＲＲＣ接続再構成（ＲＲＣ Ｃｏｎｎｅｃｔｉｏｎ Ｒｅｃｏｎｆｉｇｕｒａｔｉｏｎ）シグナリングは、アクセスネットワーク機器と端末との間のＲＲＣ接続を変更するためのものであり、具体的には、測定設定の変更、無線ベアラの切り替え、無線ベアラや、データ無線ベアラ、伝送チャンネル、物理チャンネルなどの設定を実現する。本実施例において、アクセスネットワーク機器は、ＲＲＣ接続再構成シグナリングに、経路情報を設定する。
【０１０３】
差別化設定を実現するために、アクセスネットワーク機器は、セル内の各端末のデータ通信量の使用状況、ネットワークのサポート状況などの情報に基づいて、異なる端末に応じて異なる経路情報を設定し、当該経路情報をＲＲＣ接続再構成シグナリングに追加して、後続の対応端末への送信を便利にする。
【０１０４】
可能な一実施形態において、当該経路情報のデータタイプがｂｏｏｌｅａｎであり、経路情報の値がｔｒｕｅに設定される場合、上りデータの送信経路がＬＴＥリンクであり、経路情報の値がｆａｌｓｅに設定される場合、上りデータの送信経路がＷＬＡＮリンクであり、又は、経路情報の値がｔｒｕｅに設定される場合、目標送信経路がＷＬＡＮリンクであり、経路情報の値がｆａｌｓｅに設定される場合、目標送信経路がＬＴＥリンクである。
【０１０５】
例えば、アクセスネットワーク機器は、端末のデータ通信量の使用状況を取得することができる。データ通信量の使用状況が、端末のデータ残量が閾値より大きいと示す場合、上りデータの送信安定性及び信頼性を向上させるために、アクセスネットワーク機器は、端末の目標送信経路をＬＴＥリンクに設定し、ＲＲＣ接続再構成シグナリングにおける経路情報の値をｔｒｕｅに設定する。データ通信量の使用状況が、端末のデータ残量が閾値より小さいと示す場合、アクセスネットワーク機器は、端末の目標送信経路をＷＬＡＮリンクに設定し、ＲＲＣ接続再構成シグナリングにおける経路情報の値をｆａｌｓｅに設定する。
【０１０６】
なお、本実施例は、単に上記可能な実施形態を例として例示的な説明をするので、経路情報を設定する具体的な方法について限定するものではない。
【０１０７】
ステップ４０２：アクセスネットワーク機器が、端末に当該ＲＲＣ接続再構成シグナリングを送信し、異なる端末に送信されるＲＲＣ接続再構成シグナリングに含まれる経路情報が、同一である又は異なる。
【０１０８】
ＲＲＣ接続再構成シグナリングにおいて、経路情報の設定が完成した後、アクセスネットワーク機器は、ユニキャストの方式により、対応する端末にＲＲＣ接続再構成シグナリングを送信する。異なる端末に送信されるＲＲＣ接続再構成シグナリングに含まれる経路情報は、同一又は異なり、すなわち、アクセスネットワーク機器によって設定されるセル内の各端末の上りデータの送信経路は、同一である又は異なる。
【０１０９】
なお、アクセスネットワーク機器は、さらに、ブロードキャストとユニキャストとの二つの方式を組み合わせることができる。ブロードキャストの方式により、セル内の多数の端末に経路情報を画一的に設定し、また、ユニキャストの方式により、セル内の少数の端末に、単独で経路情報を設定する（ユニキャストにより設定される経路情報の優先度は、ブロードキャストにより設定される経路情報より高く、すなわち、端末は、優先的にユニキャストにより設定される経路情報に基づいて上りデータを伝送する）ことができるが、本開示は、これについて限定しない。
【０１１０】
ステップ４０３：端末が、アクセスネットワーク機器によって送信されたＲＲＣ接続再構成シグナリングを受信する。
【０１１１】
それに応じて、端末は、アクセスネットワーク機器によって送信されたＲＲＣ接続再構成シグナリングを受信し、当該ＲＲＣ接続再構成シグナリングに含まれる経路情報を取得する。
【０１１２】
ステップ４０４：端末が、ＲＲＣ接続再構成シグナリングに含まれる経路情報に基づいて、上りデータの目標送信経路を決定する。
【０１１３】
さらに、端末は、取得した経路情報に基づいて、上りデータの送信経路を決定する。
【０１１４】
可能な一実施形態において、ＲＲＣ接続再構成シグナリングに含まれる経路情報が採用するデータタイプがｂｏｏｌｅａｎであり、経路情報の値がｔｒｕｅである場合、端末は、目標送信経路がＬＴＥリンクであると決定し、経路情報の値がｆａｌｓｅである場合、端末は、目標送信経路がＷＬＡＮリンクであると決定し、又は、
経路情報の値がｔｒｕｅである場合、端末は、目標送信経路がＷＬＡＮリンクであると決定し、経路情報の値がｆａｌｓｅである場合、端末は、目標送信経路がＬＴＥリンクであると決定する。
【０１１５】
他の可能な実施形態において、ＲＲＣ接続再構成シグナリングにおける経路情報が他のデータタイプで記憶される場合、端末は、対応の解読方法で、それが示す目標送信経路を決定し、本実施例は、これについて限定しない。
【０１１６】
ステップ４０５：端末が、目標送信経路に基づいて、アクセスネットワーク機器に上りデータを送信する。
【０１１７】
上記ステップ３０５と同様に、端末が、アクセスネットワーク機器に上りデータを送信する必要がある場合、上りデータに対してカプセリング処理を行った後、対応する送信経路を介して送信して、上りデータの分割伝送を実現する。
【０１１８】
以上により、本実施例が提供するデータ伝送方法は、アクセスネットワーク機器が、ＲＲＣ接続が確立される端末のための経路情報を設定し、端末に当該経路情報を下り送信することにより、経路情報を受信した端末が、当該経路情報が示す送信経路に基づいて、上りデータ送信を行うことができる。関連技術において、端末がモバイル通信リンクのみを介して上りデータを送信することにより、モバイル通信リンクが輻輳になり、上りデータの伝送効率及びモバイル通信システムの性能に影響を及ぼす問題を解決し、端末がアクセスネットワーク機器によって設定される送信経路に基づいて、上りデータを送信し、モバイル通信リンク及びＷＬＡＮリンクを十分に利用してデータ伝送を行うことを達成し、単一のリンクを利用することによる輻輳を回避し、上りデータの伝送効率及びモバイル通信システムの性能を向上させる。
【０１１９】
本実施例において、アクセスネットワーク機器は、ＲＲＣ接続再構成シグナリングに経路情報を追加し、ユニキャストの方式によりＲＲＣ接続再構成シグナリングを対応する端末に送信して、セル内の端末に対する指向性のある設定を実現する。
【０１２０】
他の可能な実施形態において、受信したＲＲＣ接続再構成シグナリングに経路情報が設定されていない場合、端末は、デフォルト経路（例えば、ＬＴＥリンク）に基づいて、上りデータを送信し、受信したＲＲＣ接続再構成シグナリングに経路情報が設定される場合、端末は、当該経路情報が示す送信経路に基づいて、上りデータ伝送を行う。好ましい実施例において、図４Ｂに示すように、当該方法は、以下のようなステップをさらに含んでもよい。
【０１２１】
ステップ４０６：端末が、アクセスネットワーク機器によって下り送信された経路情報が存在するか否かを検出する。
【０１２２】
端末は、アクセスネットワーク機器によって送信されたＲＲＣ接続再構成シグナリングに経路情報が含まれるか否かを検出し、ＲＲＣ接続再構成シグナリングに経路情報が含まれる場合、上記ステップ４０４を実行し、ＲＲＣ接続再構成シグナリングに経路情報が含まれていない場合、下記ステップ４０７を実行する。
【０１２３】
ステップ４０７：アクセスネットワーク機器によって下り送信された経路情報が存在しない場合、端末が、ＬＴＥリンクを介して上りデータを送信する。
【０１２４】
ＲＲＣ接続再構成シグナリングに経路情報が含まれていないことを検出する場合、端末は、ＬＴＥリンク（デフォルト経路）を介して上りデータを送信する。
【０１２５】
なお、上記ステップ４０１及びステップ４０２は、単独でアクセスネットワーク機器側の情報下り送信方法を実現することができ、上記ステップ４０３〜ステップ４０７は、単独で端末側のデータ送信方法を実現することができ、本実施例は、ここで詳しく説明しない。
【０１２６】
下記は、本開示の装置実施例であり、本開示の方法実施例を実行することができる。本開示の装置実施例に開示されていない詳細については、本開示の方法実施例を参照のこと。
【０１２７】
図５は、例示的な一実施例が提供する情報下り送信装置の構造概略図を示す。当該情報下り送信装置は、専用ハードウェア回路、又は、ソフトウェアとハードウェアとの組み合わせにより、図１におけるアクセスネットワーク機器１１０の全部又は一部を実現することができる。当該情報下り送信装置は、
端末のための経路情報を設定するように構成され、アクセスネットワーク機器と端末との間に、ＲＲＣ接続が確立され、経路情報が、上りデータの送信経路を示すためのものであり、送信経路が、モバイル通信リンク、又はＷＬＡＮリンクを含む情報設定モジュール５１０と、
端末に経路情報を下り送信するように構成され、端末が、経路情報に基づいて、上りデータの目標送信経路を決定し、目標送信経路に基づいて、アクセスネットワーク機器に上りデータを送信するように構成される情報下り送信モジュール５２０と、を含む。
【０１２８】
好ましい実施例において、情報設定モジュール５１０は、
システム情報の指定されたＳＩＢにおいて、経路情報を設定するように構成され、指定されたＳＩＢが、システム情報における既存のＳＩＢ又は新たに追加された追加ＳＩＢである第１の設定サブモジュール５１１を含む。
【０１２９】
好ましい実施例において、情報下り送信モジュール５２０は、
各端末にシステム情報をブロードキャストするように構成され、端末が、システム情報における指定されたＳＩＢに含まれる経路情報に基づいて、目標送信経路を決定し、目標送信経路を介してアクセスネットワーク機器に上りデータを送信するように構成される第１の下り送信サブモジュール５２１を含み、
異なる端末にブロードキャストされるシステム情報に含まれる経路情報が、同一である。
【０１３０】
好ましい実施例において、情報設定モジュール５１０は、
ＲＲＣ接続再構成シグナリングに、経路情報を設定するように構成される第２の設定サブモジュール５１２を含む。
【０１３１】
好ましい実施例において、情報下り送信モジュール５２０は、
端末にＲＲＣ接続再構成シグナリングを送信するように構成され、端末が、ＲＲＣ接続再構成シグナリングに含まれる経路情報に基づいて、目標送信経路を決定し、目標送信経路を介してアクセスネットワーク機器に上りデータを送信するように構成される第２の下り送信サブモジュール５２２を含み、
異なる端末に送信されるＲＲＣ接続再構成シグナリングに含まれる経路情報が、同一である又は異なる。
【０１３２】
好ましい実施例において、経路情報のデータタイプがｂｏｏｌｅａｎであり、
経路情報の値がｔｒｕｅである場合、目標送信経路がモバイル通信リンクであり、経路情報の値がｆａｌｓｅである場合、目標送信経路がＷＬＡＮリンクであり、
又は、
経路情報の値がｔｒｕｅである場合、目標送信経路がＷＬＡＮリンクであり、経路情報の値がｆａｌｓｅである場合、目標送信経路がモバイル通信リンクである。
【０１３３】
以上により、本実施例が提供する情報下り送信装置は、アクセスネットワーク機器が、ＲＲＣ接続が確立される端末のための経路情報を設定し、端末に当該経路情報を下り送信することにより、経路情報を受信した端末が、当該経路情報が示す送信経路に基づいて、上りデータ送信を行うことができる。関連技術において、端末がモバイル通信リンクのみを介して上りデータを送信することにより、モバイル通信リンクが輻輳になり、上りデータの伝送効率及びモバイル通信システムの性能に影響を及ぼす問題を解決し、端末がアクセスネットワーク機器によって設定される送信経路に基づいて、上りデータを送信し、モバイル通信リンク及びＷＬＡＮリンクを十分に利用してデータ伝送を行うことを達成し、単一のリンクを利用することによる輻輳を回避し、上りデータの伝送効率及びモバイル通信システムの性能を向上させる。
【０１３４】
本実施例において、アクセスネットワーク機器は、システム情報に経路情報を追加し、当該システム情報を各端末にブロードキャストして、セル内のすべての端末の画一的な設定を実現し、設定の効率が高く、モバイル通信システム全体のアップグレードコストを低減する。
【０１３５】
本実施例において、アクセスネットワーク機器は、ＲＲＣ接続再構成シグナリングに経路情報を追加し、ユニキャストの方式により、ＲＲＣ接続再構成シグナリングを対応する端末に送信して、セル内の端末に対する指向性のある設定を実現する。
【０１３６】
図６は、例示的な一実施例が提供するデータ送信装置の構造概略図を示す。当該データ送信装置は、専用ハードウェア回路、又は、ソフトウェアとハードウェアとの組み合わせにより、図１における端末１４０の全部又は一部を実現することができる。当該データ送信装置は、
アクセスネットワーク機器によって下り送信された経路情報を受信するように構成され、アクセスネットワーク機器と端末との間に、ＲＲＣ接続が確立され、経路情報が、上りデータの送信経路を示すためのものであり、送信経路が、モバイル通信リンク、又はＷＬＡＮリンクを含む情報受信モジュール６１０と、
経路情報に基づいて、上りデータの目標送信経路を決定するように構成される経路決定モジュール６２０と、
目標送信経路に基づいて、アクセスネットワーク機器に上りデータを送信するように構成される第１のデータ送信モジュール６３０と、を含む。
【０１３７】
好ましい実施例において、情報受信モジュール６１０は、
アクセスネットワーク機器によってブロードキャストされたシステム情報を受信するように構成され、システム情報の指定されたＳＩＢに経路情報が含まれ、指定されたＳＩＢが、システム情報における既存のＳＩＢ又は新たに追加された追加ＳＩＢである第１の受信サブモジュール６１１を含む。
【０１３８】
好ましい実施例において、情報受信モジュール６１０は、
アクセスネットワーク機器によって送信されたＲＲＣ接続再構成シグナリングを受信するように構成され、ＲＲＣ接続再構成シグナリングに経路情報が含まれ、異なる端末に送信されるＲＲＣ接続再構成シグナリングに含まれる経路情報が同一である又は異なる第２の受信サブモジュール６１２を含む。
【０１３９】
好ましい実施例において、経路情報のデータタイプがｂｏｏｌｅａｎであり、
経路決定モジュール６２０は、経路情報の値がｔｒｕｅである場合、目標送信経路がモバイル通信リンクであると決定し、経路情報の値がｆａｌｓｅである場合、目標送信経路がＷＬＡＮリンクであると決定するように構成され、
又は、
経路決定モジュールは、経路情報の値がｔｒｕｅである場合、目標送信経路がＷＬＡＮリンクであると決定し、経路情報の値がｆａｌｓｅである場合、目標送信経路がモバイル通信リンクであると決定するように構成される。
【０１４０】
好ましい実施例において、当該装置は、
アクセスネットワーク機器によって下り送信された経路情報が存在するか否かを検出するように構成される検出モジュール６４０と、
アクセスネットワーク機器によって下り送信された経路情報が存在する場合、経路情報に基づいて、上りデータの目標送信経路を決定するように構成される経路決定モジュール８２０と、
アクセスネットワーク機器によって下り送信された経路情報が存在しない場合、ＬＴＥリンクを介して上りデータを送信するように構成される第２のデータ送信モジュール６５０と、をさらに含む。
【０１４１】
以上により、本実施例が提供するデータ送信装置において、アクセスネットワーク機器は、ＲＲＣ接続が確立される端末のための経路情報を設定し、端末に当該経路情報を下り送信することにより、経路情報を受信した端末は、当該経路情報が示す送信経路に基づいて、上りデータ送信を行うことができる。関連技術における、端末がモバイル通信リンクのみを介して上りデータを送信するため、モバイル通信リンクが輻輳になり、上りデータの伝送効率及びモバイル通信システムの性能に影響を及ぼすという問題を解決し、端末がアクセスネットワーク機器によって設定される送信経路に基づいて、上りデータを送信し、モバイル通信リンク及びＷＬＡＮリンクを十分に利用してデータ伝送を行うことを達成し、単一のリンクを利用することによる輻輳を回避し、上りデータの伝送効率及びモバイル通信システムの性能を向上させる。
【０１４２】
本実施例において、アクセスネットワーク機器は、システム情報に経路情報を追加し、当該システム情報を各端末にブロードキャストして、セル内のすべての端末の画一的な設定を実現し、設定の効率が高く、モバイル通信システム全体のアップグレードコストを低減する。
【０１４３】
本実施例において、アクセスネットワーク機器は、ＲＲＣ接続再構成シグナリングに経路情報を追加し、ユニキャストの方式により、ＲＲＣ接続再構成シグナリングを対応する端末に送信して、セル内の端末に対する指向性のある設定を実現する。
【０１４４】
図７は、例示的な一実施例が提供するアクセスネットワーク機器１１０の構造概略図を示す。当該アクセスネットワーク機器１１０は、プロセッサ７１と、メモリ７２と、送信器７３と、受信器７４と、を含む。
【０１４５】
プロセッサ７１は、メモリ７２に接続される。
【０１４６】
プロセッサ７１は、１つ以上の処理コアを含み、プロセッサ７１はソフトウェアプログラム及びユニットを実行することにより、各種機能の応用及び情報処理を実行する。
【０１４７】
メモリ７２は、１つ以上のプログラム命令を記憶するためのものであり、当該１つ以上のプログラム命令は、少なくとも１つのソフトウェアプログラム及びモジュールを実現するために用いられる。メモリ７２は、オペレーティングシステム７４と、少なくとも１つの機能を実現するためのアプリケーションモジュール７５と、を記憶することができる。プロセッサ７１は、メモリ７２におけるプログラム命令を実行して、上記方法の実施例においてアクセスネットワーク機器１１０によって実行されるステップを実現する。
【０１４８】
また、メモリ７２は、如何なる種類の揮発性又は不揮発性メモリ又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１４９】
送信器７３は、モデムユニットと、マルチアンテナポートの送受信をサポートするアンテナであるマイモ（Ｍｕｌｔｉｐｌｅ  Ｉｎｐｕｔ  Ｍｕｌｔｉｐｌｅ  Ｏｕｔｐｕｔ、ＭＩＭＯ）アンテナと、を含む。好ましくは、ＭＩＭＯアンテナは、少なくとも２つの送信アンテナを含む。好ましくは、送信器７３は、データ及びシグナリングの伝送を実現するためのものである。
【０１５０】
受信器７６は、送信器７３と同一又は類似する構造を含む。好ましくは、受信器７６は、モデムユニットと、少なくとも２つの受信アンテナを含むＭＩＭＯアンテナと、を含む。
【０１５１】
図７に示されるアクセスネットワーク機器１１０の構造は、アクセスネットワーク機器１１０を限定するものではなく、図示よりも多い若しくは少ない部品を含んだり、いくつかの部品を組み合わせたり、又は異なる部品を配置したりすることは、当業者であれば、理解すべきである。
【０１５２】
図８は、例示的な一実施例が提供する端末１４０の構造概略図を示す。当該端末１４０は、プロセッサ８１と、メモリ８２と、送信器８３と、受信器８４と、を含む。
【０１５３】
プロセッサ８１は、メモリ８２に接続される。
【０１５４】
プロセッサ８１は、１つ以上の処理コアを含み、プロセッサ８１はソフトウェアプログラム及びユニットを実行することにより、各種機能の応用及び情報処理を実行する。
【０１５５】
メモリ８２は、１つ以上のプログラム命令を記憶するためのものであり、当該１つ以上のプログラム命令は少なくとも１つのソフトウェアプログラム及びモジュールを実現するために用いられる。メモリ８２は、オペレーティングシステム８４と、少なくとも１つの機能を実現するためのアプリケーションモジュール８５と、を記憶することができる。プロセッサ８１は、メモリ８２におけるプログラム命令を実行して、上記方法の実施例において端末１４０によって実行されるステップを実現する。
【０１５６】
また、メモリ８２は、如何なる種類の揮発性又は不揮発性メモリ又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【０１５７】
送信器８３は、モデムユニットと、マルチアンテナポートの送受信をサポートするアンテナであるマイモ（Ｍｕｌｔｉｐｌｅ  Ｉｎｐｕｔ  Ｍｕｌｔｉｐｌｅ  Ｏｕｔｐｕｔ、ＭＩＭＯ）アンテナと、を含む。好ましくは、ＭＩＭＯアンテナは、少なくとも２つの送信アンテナを含む。好ましくは、送信器８３は、データ及びシグナリングの伝送を実現するためのものである。
【０１５８】
受信器８６は、送信器８３と同一又は類似する構造を含む。好ましくは、受信器８６は、モデムユニットと、少なくとも２つの受信アンテナを含むＭＩＭＯアンテナと、を含む。
【０１５９】
図８に示される端末１４０の構造は、端末１４０を限定するものではなく、図示よりも多い若しくは少ない部品を含んだり、いくつかの部品を組み合わせたり、又は異なる部品を配置したりすることは、当業者であれば、理解すべきである。
【０１６０】
当業者は、明細書を考慮してここに開示された発明を実践した後、本開示の他の実施例を容易に想到する。本出願は、本開示の任意の変形、用途又は適宜な変化を含むことを意図しており、これらの変形、用途又は適宜な変化は、本開示の一般的な原理に従うものであるとともに、本開示に開示されていない当技術分野における一般知識又は通常の技術手段を含む。明細書及び実施例は単なる例示的なものとみなされ、本開示の本当の範囲及び趣旨は以下の特許請求の範囲によって示される。
【０１６１】
なお、本開示は、以上に既に説明され、図面に示された精確な構造に限定されるものではなく、本開示の範囲から逸脱しない限り、様々な修正及び変更をすることができる。本開示の範囲は、添付の特許請求の範囲のみによって限定される。
【図１】
2019519989.tif 000003
【図２】
2019519989.tif 000004
【図３Ａ】
2019519989.tif 000005
【図３Ｂ】
2019519989.tif 000006
【図４Ａ】
2019519989.tif 000007
【図４Ｂ】
2019519989.tif 000008
【図５】
2019519989.tif 000009
【図６】
2019519989.tif 000010
【図７】
2019519989.tif 000011
【図８】
2019519989.tif 000012
【国際調査報告】
2019519989.tif 000013
2019519989.tif 000014
2019519989.tif 000015
2019519989.tif 000016